(57)【要約】      （修正有）【課題】排気機能を具現するための排気装置に関連した駆動回路の構成を簡素化することにより、生産原価を低め、そして排気装置を作動させるのに必要な使用者の操作回数を減らすことにより、使用の便利さを向上させるフード兼用電子レンジを提供する。【解決手段】前記フード兼用電子レンジは吸入面積が可変する可変吸入口を含む。可変吸入口モータ２３０は可変吸入口の吸入面積を可変させる。排気モータ２２６は可変吸入口を介して吸入された空気を外部へ排出させる。排気駆動部２２４は排気モータの回転速度を制御する。可変吸入口駆動部２２８は排気モータ２２６の回転速度に応じて可変吸入口の吸入面積が可変させるように可変吸入口モータ２３０を制御する。【選択図】図２
2004309117.tif 000002
【特許請求の範囲】
【請求項１】
可変吸入口と、
前記可変吸入口の吸入面積を可変させる可変吸入口モータと、
前記可変吸入口を介して吸入された空気を外部へ排出させる排気モータと、
前記排気モータの回転速度を制御する排気モータ駆動部と、
前記排気モータの回転速度に応じて前記可変吸入口モータを制御する可変吸入口調整部とを含んでなることを特徴とするフード兼用電子レンジ。
【請求項２】
前記排気モータが低速及び高速の回転速度で回転し、前記可変吸入口モータは、前記排気モータが高速で回転すると前記可変吸入口の吸入面積を増大させ、前記排気モータが低速で回転すると前記可変吸入口の吸入面積を減少させることを特徴とする請求項１に記載のフード兼用電子レンジ。
【請求項３】
前記可変吸入口モータは、前記排気モータが高速で回転すると前記可変吸入口の吸入面積を最大に増大させ、前記排気モータが低速で回転すると前記可変吸入口の吸入面積を減少させることを特徴とする請求項１に記載のフード兼用電子レンジ。
【請求項４】
前記排気モータ駆動部は、
前記排気モータを高速で回転させる第１排気スイッチと、
前記排気モータを低速で回転させる第２排気スイッチとを含むことを特徴とする請求項１に記載のフード兼用電子レンジ。
【請求項５】
前記排気モータ駆動部は、
第１正常時閉鎖接点及び第１正常時開放接点を有し、前記第１排気スイッチにより励磁されて、前記第１正常時閉鎖接点を開放させ、前記第１正常時接点を閉鎖させる第１リレーと、
第２正常時開放接点を有し、前記第２排気スイッチにより励磁されて、前記第２正常時開放接点を閉鎖させる第２リレーとを含み、
前記第１リレーの第１正常時開放接点は電源装置の端子と前記排気モータ間に連結され、前記第１リレーの第１正常時閉鎖接点と前記第２リレーの第２正常時開放接点は前記電源装置の端子と前記排気モータ間に直列に連結され、前記第１リレーの第１正常時開放接点に並列に連結されることを特徴とする請求項１に記載のフード兼用電子レンジ。
【請求項６】
前記可変吸入口調整部は、
前記排気モータ駆動部の第１正常時閉鎖接点を介して供給される電源が前記第１端子に伝達されるように前記第１正常時閉鎖接点と前記可変吸入モータの第１端子間に連結され、前記排気モータが高速で回転するとオンされる第１スイッチと、
前記排気モータ駆動部の第１正常時開放接点を介して供給される電源が前記第２端子に伝達されるように前記第１正常時開放接点と前記可変吸入モータの第２端子間に連結され、前記排気モータが低速で回転するとオンされる第２スイッチとを含むことを特徴とする請求項５に記載のフード兼用電子レンジ。
【請求項７】
前記第１スイッチは、前記可変吸入口の吸入面積が減少して所定大きさを有するとオフされるリミットスイッチであり、前記第２スイッチは前記可変吸入口の吸入面積が増大して最大の大きさを有するとオフされるリミットスイッチであることを特徴とする請求項６に記載のフード兼用電子レンジ。
【請求項８】
少なくとも第１端子及び第２端子を有し、電子レンジの諸般動作を制御する制御部と、
前記第１端子及び第２端子のいずれか一つに連結される排気モータ駆動部と、
前記第１端子及び第２端子のほかの一つに連結される可変吸入口調整部とを含んでなることを特徴とするフード兼用電子レンジ。
【請求項９】
前記フード兼用電子レンジは、前記排気モータの回転速度を制御するため、前記排気モータ駆動部に連結される排気モータをさらに含むことを特徴とする請求項８に記載のフード兼用電子レンジ。
【請求項１０】
前記フード兼用電子レンジは、前記排気モータの回転速度に応じて前記可変吸入口を開閉するため、前記可変吸入口調整部に連結される可変吸入口モータをさらに含むことを特徴とする請求項９に記載のフード兼用電子レンジ。
【請求項１１】
前記排気モータは低速及び高速の回転速度で回転し、前記可変吸入口モータは、前記排気モータが高速で回転すると前記可変吸入口の吸入面積を増大させ、前記排気モータが低速で回転すると前記可変吸入口の吸入面積を減少させることを特徴とする請求項１０に記載のフード兼用電子レンジ。
【請求項１２】
前記可変吸入口モータは、前記排気モータが高速で回転すると前記可変吸入口の吸入面積を最大に増大させ、前記排気モータが低速で回転すると前記可変吸入口の吸入面積を所定大きさに減少させることを特徴とする請求項１０に記載のフード兼用電子レンジ。
【請求項１３】
前記排気モータ駆動部は、
前記排気モータを高速で回転させる第１排気スイッチと、
前記排気モータを低速で回転させる第２排気スイッチとを含むことを特徴とする請求項１０に記載のフード兼用電子レンジ。
【請求項１４】
前記排気モータ駆動部は、
電源端子と前記排気モータ間の第１正常時閉鎖接点、及び第１正常時開放接点を有する第１リレーと、
前記電源端子と前記排気モータとの間の第１正常時閉鎖接点に直列に連結され、及び前記第１正常時開放接点に並列に連結される第２正常時開放接点を有する第２リレーとをさらに含み、
前記第１排気スイッチが前記第１リレーを励磁させると、前記第１正常時閉鎖接点が開放するとともに前記第１正常時開放接点が閉鎖し、
前記第２排気スイッチが前記第２リレーを励磁させると、前記第２正常時開放接点が閉鎖することを特徴とする請求項１０に記載のフード兼用電子レンジ。
【請求項１５】
前記可変吸入口調整部は、
前記排気モータ駆動部の第１正常時閉鎖接点を介して供給される電源が前記第１端子に伝達されるように前記第１正常時閉鎖接点と前記可変吸入モータの第１端子との間に連結され、前記排気モータが高速で回転するとオンされる第１スイッチと、
前記排気モータ駆動部の第１正常時開放接点を介して供給される電源が前記第２端子に伝達されるように前記第１正常時開放接点と前記可変吸入モータの第２端子間に連結され、前記排気モータが低速で回転するとオンされる第２スイッチとを含むことを特徴とする請求項１４に記載のフード兼用電子レンジ。
【請求項１６】
前記第１スイッチは、前記可変吸入口の吸入面積が減少して所定大きさを有するとオフされるリミットスイッチであり、前記第２スイッチは前記可変吸入口の吸入面積が増大して最大の大きさを有するとオフされるリミットスイッチであることを特徴とする請求項１５に記載のフード兼用電子レンジ。
【請求項１７】
電源装置、排気モータ、可変吸入面積を有する可変吸入口、及び可変吸入口駆動モータを含むフード兼用電子レンジにおいて、
前記電子レンジの動作を制御する制御部と、
前記排気モータのオン及びオフ動作を制御し、前記排気モータの回転速度を制御するため、前記制御部に連結される排気モータ駆動部と、
前記可変吸入口駆動モータの回転方向を変えることにより前記可変吸入口の吸入面積を制御するため、前記制御部に連結される可変吸入口調整部とを含んでなることを特徴とするフード兼用電子レンジ。
【請求項１８】
前記フード兼用電子レンジは入力部とセンサ部とをさらに含み、前記制御部は前記入力部と前記センサー部に連結された端子を含むことを特徴とする請求項１７に記載のフード兼用電子レンジ。
【請求項１９】
前記フード兼用電子レンジは、
マグネトロンを駆動して高周波を発生させるマグネトロン駆動部と、
冷却ファンを有し、電装品の過熱を防止するため、前記冷却ファンを駆動させる冷却ファン駆動部と、
トレイを回転させるトレイ駆動部と、
メニュー及び調理情報を表示する表示駆動部とをさらに含み、
前記制御部は、前記マグネトロン駆動部、前記冷却ファン駆動部、前記トレイ駆動部、前記表示駆動部、前記排気モータ駆動部、及び前記可変吸入口駆動部に連結される出力端子を含むことを特徴とする請求項１７に記載のフード兼用電子レンジ。
【請求項２０】
前記排気モータ駆動部は、第１排気スイッチと、第２排気スイッチとを含み、
前記排気モータ駆動部は、前記第１及び第２排気スイッチのオン及びオフに応じて前記排気モータの回転速度を制御することを特徴とする請求項１７に記載のフード兼用電子レンジ。
【請求項２１】
前記排気モータ駆動部は、正常時開放接点及び正常時閉鎖接点を有する第１リレーと、正常時開放接点を有する第２リレーとをさらに含み、
前記第１リレーの前記正常時開放接点は前記電源装置と前記排気モータ間に連結され、前記第１リレーの前記正常時閉鎖接点は前記第２リレーの正常時開放接点に直列に連結され前記電源装置と前記排気モータとの間に連結され、
前記正常時開放接点が励磁されると、前記正常時開放接点は短絡して電気的に連結され、前記正常時閉鎖接点が励磁されると、前記正常時閉鎖接点が開放して電気的に分離されることを特徴とする請求項２０に記載のフード兼用電子レンジ。
【請求項２２】
前記可変吸入口調整部は、
前記第１リレーの正常時閉鎖接点が閉鎖されると、前記可変吸入口駆動モータに電源を供給するため、オフされて前記第１リレーの正常時閉鎖接点に直列に連結される第１リミットスイッチと、
前記正常時開放接点が閉鎖されると、前記可変吸入口駆動モータに電源を供給するため、オンされて前記第１リレーの正常時開放接点に直列に連結される第２リミットスイッチとをさらに含むことを特徴とする請求項２１に記載のフード兼用電子レンジ。
【請求項２３】
前記第１リレーの正常時開放接点が閉鎖されると、前記排気モータが高速で回転し前記可変吸入口駆動モータに電源を供給して前記可変吸入口駆動モータを正方向に回転させることにより、前記可変吸入口を開放させることを特徴とする請求項２２に記載のフード兼用電子レンジ。
【請求項２４】
前記第１リミットスイッチは、自動にオフされることにより、前記可変吸入口駆動モータを停止させることを特徴とする請求項２３に記載のフード兼用電子レンジ。
【請求項２５】
前記第１リレーの正常時閉鎖接点が閉鎖されると、前記排気モータが低速で回転し前記可変吸入口駆動モータに電源を供給して前記可変吸入口駆動モータを逆方向に回転させることにより、前記可変吸入口を閉鎖させることを特徴とする請求項２４に記載のフード兼用電子レンジ。
【請求項２６】
前記第２リミットスイッチは、自動にオフされることにより、前記可変吸入口駆動モータを停止させることを特徴とする請求項２５に記載のフード兼用電子レンジ。
【請求項２７】
前記制御部は、前記排気モータの回転速度を判断するため、前記排気モータ駆動部の第１及び第２リレーの正常時開放接点の状態を検査することを特徴とする請求項２６に記載のフード兼用電子レンジ。
【請求項２８】
前記制御部は、前記排気モータの回転速度を直接検出し、検出された速度と基準値を比較することにより、前記排気モータの回転速度を検査することを特徴とする請求項２６に記載のフード兼用電子レンジ。
【請求項２９】
正常時開放接点及び正常時閉鎖接点を有する第１リレーと正常時開放接点を有する第２リレーにそれぞれ連結される第１排気スイッチと第２排気スイッチを有し、排気モータを駆動するための排気モータ駆動部と、可変吸入口を開閉するため可変吸入口駆動モータを正方向及び逆方向に回転させる可変吸入口調整部とを含むフード兼用電子レンジの運転方法において、
前記第１排気スイッチがオンされた状態で前記第２排気スイッチをオンさせることにより、前記第１リレーを励磁させ、前記第１リレーの正常時開放接点を閉鎖させる段階と、
閉鎖された第２リレーの正常時開放接点と閉鎖された第１リレーの正常時閉鎖接点を介して前記排気モータに電源を供給して前記排気モータを低速で回転させる段階と、
前記可変吸入口調整部に電源を供給して前記可変吸入口駆動モータを逆方向に回転させることにより、前記可変吸入口を閉鎖させる段階とを含んでなることを特徴とするフード兼用電子レンジの運転方法。
【請求項３０】
正常時開放接点及び正常時閉鎖接点を有する第１リレーと正常時開放接点を有する第２リレーにそれぞれ連結される第１排気スイッチと第２排気スイッチを有し、排気モータを駆動するための排気モータ駆動部と、可変吸入口を開閉するため可変吸入口駆動モータを正方向及び逆方向に回転させる可変吸入口調整部とを含むフード兼用電子レンジの運転方法において、
前記第２排気スイッチがオンされた状態で前記第１排気スイッチをオンさせることにより、前記第１リレーを励磁させ、前記第１リレーの正常時開放接点を閉鎖させる段階と、
閉鎖された第１リレーの正常時開放接点を介して前記排気モータに電源を供給する段階と、
前記可変吸入口調整部に電源を供給して前記可変吸入口駆動モータを正方向に回転させることにより、前記可変吸入口を閉鎖させる段階とを含んでなることを特徴とするフード兼用電子レンジの運転方法。
【請求項３１】
電源装置と、排気モータと、可変吸入面積を有する可変吸入口とを含むフード兼用電子レンジにおいて、
前記電子レンジの動作を制御する制御部と、
前記排気モータのオン及びオフ動作を制御し前記排気モータの回転速度を制御するため、前記制御部に連結される排気モータ駆動部と、
前記排気モータの回転速度に応じて前記可変吸入口の吸入面積を制御するため、前記制御部に連結される可変吸入口調整部とを含んでなることを特徴とするフード兼用電子レンジ。
【発明の詳細な説明】
【技術分野】
【０００１】
本発明は電子レンジに係り、より詳しくは調理装置の上側に取り付けられ、調理装置により飲食物を調理するときに発生する臭い、煙などを吸入して排出するフード兼用電子レンジに関するものである。
【背景技術】
【０００２】
一般に、フード兼用電子レンジは、電気オーブン、ガスオーブンのような調理装置の上側に取り付けられ、電子レンジの一般の調理機能を行うとともに、下側の調理装置から上昇する臭い、煙などを吸入して排出する機能を行うものである。
【０００３】
図１は従来のフード兼用電子レンジの構成及び設置状態を示す図である。同図に示すように、フード兼用電子レンジの本体１０２内には、飲食物の調理のための調理室（図示せず）と、各種の電装品が取り付けられる電装室１１０とが設けられる。調理室及び電装室１１０の下部、両側部及び上部には、本体１０２の下側に位置するクックトップ１０４から発生する臭い及び煙を吸入するための排気流路１０６が設けられ、本体１０２の後部上側には、排気流路１０６を介して吸入された臭い及び煙を外部へ強制的に排出させるための排気ファン１０８が設けられる。本体１０２の下部の排気流路１０６の入口には、スライド方式の開閉部材１１２により吸入面積が可変する可変吸入口１０６ａが設けられる。このスライド方式の開閉部材１１２は可変吸入口モータ（図示せず）により駆動される。
かかる従来のフード兼用電子レンジには、排気モータをオン／オフするためのスイッチと、排気モータの回転速度を制御するためのスイッチとが設けられ、さらに可変吸入口の吸入面積を制御するための制御スイッチが別に設けられる。使用者はこれらのスイッチを個別的に操作して排気モータをオンさせた後、その回転速度を制御し、排気モータの回転速度に応じて可変吸入口の吸入面積を制御する。
【０００４】
このような多数の操作スイッチを有する従来のフード兼用電子レンジの排気機能を用いるためには、多数回のスイッチ操作を伴わなければならない。さらに、従来のフード兼用電子レンジは排気モータのオン／オフ、回転速度、可変吸入口の吸入面積などを制御するための複雑な構造の駆動回路を必要とするため、生産原価が上昇する原因となる。
【発明の開示】
【発明が解決しようとする課題】
【０００５】
したがって、本発明は、排気機能を具現するための排気装置に関連した駆動回路の構成を簡素化することにより、生産原価を低め、そして排気装置を作動させるのに必要な使用者の操作回数を減らすことにより、使用の便利さを向上させるフード兼用電子レンジを提供することにその目的がある。
【課題を解決するための手段】
【０００６】
このような目的を達成するため、本発明は、可変吸入口と、前記可変吸入口の吸入面積を可変させる可変吸入口モータと、前記可変吸入口を介して吸入された空気を外部へ排出させる排気モータと、前記排気モータの回転速度を制御する排気モータ駆動部と、前記排気モータの回転速度に応じて前記可変吸入口モータを制御する可変吸入口調整部とを含んでなるフード兼用電子レンジを提供する。
【発明の効果】
【０００７】
以上のような本発明によるフード兼用電子レンジは、排気モータの回転速度に応じて吸入面積が可変するようにして、排気装置に関連した駆動回路を簡単に構成することができ、排気装置を使用するのに必要な使用者の操作回数を減らす。したがって、本発明によるフード兼用電子レンジは低廉な価格と便利な使用環境を具現することができる。
【発明を実施するための最良の形態】
【０００８】
以下、本発明によるフード兼用電子レンジの好ましい実施例を図２ないし図５に基づいて説明する。
図２は本発明によるフード兼用電子レンジの構成を示すブロック図である。同図に示すように、電子レンジの諸般動作を制御する制御部２０２の入力端には、入力部２０４とセンサ部２０６が連結される。入力部２０４には、使用者が調理モード、調理時間などを設定するための調理モード設定ボタン、数字ボタンなどが設けられる。センサ部２０６は調理室内で調理される飲食物の状態を検出するためのものである。制御部２０２の出力端には、マグネトロン駆動部２０８、冷却ファン駆動部２１２、トレイ駆動部２１６、表示駆動部２２０、排気駆動部２２４、及び可変吸入口駆動部２２８が設けられる。マグネトロン駆動部２０８はマグネトロン２１０を駆動させて電磁波を発生させる。冷却ファン駆動部２１２は冷却ファンモータ２１４を駆動させて、電装室（図示せず）に設けられた各種の電気装置の過熱を防止する。トレイ駆動部２１６はトレイモータ２１８を駆動させて、調理室内のトレイ（図示せず）を回転させる。表示駆動部２２０は表示部２２２を駆動させて、調理モードに関するヘルプ、調理情報、設定値などを表示させる。排気駆動部２２４は排気モータ２２６のオン／オフと回転側を制御する。可変吸入口駆動部２２８は可変吸入口モータ２３０の回転方向を転換して、図１に示すような開閉部材１１２を前進又は後退させることにより、可変吸入口１０６ａの吸入面積を制御する。
【０００９】
図３は図２に示す本発明によるフード兼用電子レンジの排気駆動部２２４と可変吸入口駆動部２２８の構成を示す図である。同図に示すように、排気駆動部２２４は、第１排気スイッチ３０６と第２排気スイッチ３１０のオン／オフの組合せにより、排気モータ２２６の回転速度を低速又は高速に制御する。この際、排気モータ２２６の回転速度は本発明によるフード兼用電子レンジの排気能力を評価する尺度となる。
【００１０】
排気駆動部２２４に設けられるリレー３０４は正常時開放接点３０４ａと正常時閉鎖接点３０４ｂを有する。正常時開放とは、リレーが励磁されると、開放状態の接点が閉鎖して電気的に導通されることを意味する。正常時閉鎖とは、リレーが励磁されると、閉鎖状態の接点が開放して電気的に遮断されることを意味する。リレー３０４の正常時開放接点３０４ａは電源装置３０２と排気モータ２２６との間に単独で直接連結され、反面正常時閉鎖接点３０４ｂはほかのリレー３０８の正常時開放接点３０８ａに直列に連結され、電源装置３０２と排気モータ２２６間に連結される。
【００１１】
可変吸入口駆動部２２８には、可変吸入口モータ２３０の回転方向を制御するための二つのリミットスイッチ３１２ａ、３１２ｂが設けられる。リミットスイッチ３１２ｂは初期値としてオン状態を有し、排気駆動部２２４の正常時開放接点３０４ａに直列に連結され、正常時開放接点３０４ａが閉鎖すると、可変吸入口モータ２３０に電源が供給されるようにする。リミットスイッチ３１２ｂは、可変吸入口が最大の大きさに全く開放されると、自動にオフされて可変吸入口モータ２３０を停止させる。ほかのリミットスイッチ３１２ａは初期値としてオフ状態を有し、排気駆動部２２４の正常時閉鎖接点３０４ｂに直列に連結され、正常時閉鎖接点３０４ｂがオンされると、可変吸入口モータ２３０に電源が供給されるようにする。可変吸入口モータ２３０は、リミットスイッチ３１２ａがオンされることにより電源が供給されるとき、逆回転して可変吸入口を閉鎖させる。リミットスイッチ３１２ａは、可変吸入口の吸入面積が減少して、前もって設定された大きさに到達すると、自動的にオフされて可変吸入口モータ２３０を停止させる。排気モータ２２６が高速で回転するとき、リミットスイッチ３１２ｂは既にオンされているので、可変吸入口モータ２３０が正回転して可変吸入口を開放させる。反対に、排気モータ２２６が低速で回転するとき、制御部２０２はリミットスイッチ３１２ａをオンさせて可変吸入口モータ２３０を逆回転させることにより、前もって設定された吸入面積を有するまで可変吸入口を閉鎖させる。制御部２０２は、排気モータ２２６の回転速度を判別するため、排気駆動部２２４の正常時開放接点３０４ａ、３０８ａの閉鎖状態を確認するか、又は排気モータ２２６の回転速度を直接検出し、基準値と比較して確認する。
【００１２】
このような排気モータ駆動部２２４と可変吸入口駆動部２２８の具体的な動作をそれぞれ図４及び図５に基づいて説明する。図４は使用者が第２排気スイッチ３１０のみをオンさせた場合を示す図である。同図に示すように、排気駆動部２２４の第１排気スイッチ３０６が初期のオフ状態を維持する間、使用者の操作により第２排気スイッチ３１０がオンされると、リレー３０８が励磁されて、正常時開放接点３０８ａが閉鎖される。したがって、排気モータ２２６には、閉鎖した正常時開放接点３０８ａと既に閉鎖した正常時閉鎖接点３０４ｂを介して電源が供給され、よって排気モータ２２６が低速で回転する。可変吸入口駆動部２２８の二つのリミットスイッチ３１２ａ、３１２ｂは共にオンされているが、排気駆動部２２４の正常時開放接点３０４ａが開放されているため、可変吸入口駆動部２２８のリミットスイッチ３１２ａのみを介して電源が供給されるので、可変吸入口モータ２３０が逆回転することにより、可変吸入口は前もって設定された吸入面積を有するように閉鎖される。
【００１３】
図５は第２排気スイッチ３１０がオンされた状態で使用者が第１排気スイッチ３０６をオンさせた場合を示す図である。同図に示すように、第２排気スイッチ３１０がオンされた状態で使用者が第１排気スイッチ３０６をオンさせると、リレー３０４が励磁されて正常時閉鎖接点３０４ｂが開放され、正常時開放接点３０４ａは閉鎖される。したがって、閉鎖された正常時開放接点３０４ａを介して電源が排気モータ２２６に供給されるので、排気モータが高速で回転する。また、可変吸入口モータ２３０には閉鎖された正常時開放接点３０４ａと既にオンされているリミットスイッチ３１２ｂを介して電源が供給され、よって可変吸入口モータ２３０が正回転して可変吸入口を開放させる。
【図面の簡単な説明】
【００１４】
【図１】従来のフード兼用電子レンジの構成及び設置状態を示す側面図である。
【図２】本発明によるフード兼用電子レンジの構成を示すブロック図である。
【図３】図２に示す本発明によるフード兼用電子レンジの排気駆動部と可変吸入駆動部の構成を示す回路図である。
【図４】図３に示す本発明によるフード兼用電子レンジの排気駆動部と可変吸入口駆動部の動作を示すもので、使用者が第２排気スイッチのみをオンさせた場合を示す回路図である。
【図５】図３に示す本発明によるフード兼用電子レンジの排気駆動部と可変吸入口駆動部の動作を示すもので、第２排気スイッチがオンされた状態で使用者が第１排気スイッチをオンさせた場合を示す回路図である。
【符号の説明】
【００１５】
１０６ａ  可変吸入口
１１２  開閉部材
２０２  制御部
２０４  入力部
２０６  センサ部
２０８  マグネトロン駆動部
２１２  冷却ファン駆動部
２１４  冷却ファンモータ
２１６  トレイ駆動部
２１８  トレイモータ
２２０  表示駆動部
２２２  表示部
２２４  排気駆動部
２２６  排気モータ
２２８  可変吸入口駆動部
２３０  可変吸入口モータ
３０２  電源装置
３０４  リレー
３０４ａ  正常時開放接点
３０４ｂ  正常時閉鎖接点
３０８ａ  正常時開放接点
３１２ａ、３１２ｂ  リミットスイッチ
【図１】
2004309117.tif 000003
【図２】
2004309117.tif 000004
【図３】
2004309117.tif 000005
【図４】
2004309117.tif 000006
【図５】
2004309117.tif 000007